【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
温熱源を用いて作動流体を気化させ；
得られた蒸気を膨張させ、次に冷熱源を用いて冷却して蒸気を凝縮させ；そして
凝縮した作動流体をポンプ移送する；
ことを含み、作動流体が１−クロロ−３，３，３−トリフルオロプロペン（Ｚ）、１−クロロ−３，３，３−トリフルオロプロペン（Ｅ）又はこれらの組合せからなる、ランキンサイクルで熱エネルギーを機械エネルギーに変換する方法。
【請求項２】
前記作動流体が１−クロロ−３，３，３−トリフルオロプロペン（Ｅ）からなる、請求項１に記載の方法。
【請求項３】
温熱源を用いて作動流体を気化させ；
得られた蒸気を膨張させ、次に冷熱源を用いて冷却して蒸気を凝縮させ；そして
凝縮した作動流体をポンプ移送する；
ことを含み、作動流体が、更なるヒドロクロロフルオロオレフィン、ヒドロフルオロカーボン、ブロモフルオロオレフィン、フッ素化ケトン、ヒドロフルオロエーテル、ヒドロフルオロオレフィン、ヒドロフルオロオレフィンエーテル、ヒドロクロロフルオロオレフィンエーテル、炭化水素、又はエーテルの１種以上と組み合わせて、１−クロロ−３，３，３−トリフルオロプロペン（Ｅ）からなる、ランキンサイクルで熱エネルギーを機械エネルギーに変換する方法。
【請求項４】
温熱源を用いて作動流体を気化させ；
得られた蒸気を膨張させ、次に冷熱源を用いて冷却して蒸気を凝縮させ；そして
凝縮した作動流体をポンプ移送する；
ことを含み、作動流体が、ＨＦＣ−２４５ｆａ、ＨＦＣ−３６５ｍｆｃ、ＨＦＥ−７１００、Ｎｏｖｅｃ  １２３０、ＨＦＣ−４３−１０ｍｅｅ、又はＨＦＣ−３６５ｍｆｃ及びＨＴ５５ペルフルオロポリエーテルの組み合わせと組み合わせて、１−クロロ−３，３，３−トリフルオロプロペン（Ｅ）からなる、ランキンサイクルで熱エネルギーを機械エネルギーに変換する方法。
【請求項５】
前記温熱源が１３０℃の温度で運転できるボイラーである、請求項１〜４のいずれかに記載の方法。
【請求項６】
前記冷熱源が４５℃の温度で運転できる凝縮器である、請求項１〜５のいずれかに記載の方法。
【請求項７】
作動流体を気化させて作動流体の加圧蒸気を形成するのに十分な温度に作動流体を加熱し；そして
作動流体の加圧蒸気によって機械的仕事を行わせる；
ことを含み、
作動流体が１−クロロ−３，３，３−トリフルオロプロペン（Ｚ）、１−クロロ−３，３，３−トリフルオロプロペン（Ｅ）又はこれらの組合せからなる、熱エネルギーを機械エネルギーに変換する方法。
【請求項８】
前記作動流体が１−クロロ−３，３，３−トリフルオロプロペン（Ｅ）からなる、請求項７に記載の方法。
【請求項９】
作動流体を気化させて作動流体の加圧蒸気を形成するのに十分な温度に作動流体を加熱し；そして
作動流体の加圧蒸気によって機械的仕事を行わせる；
ことを含み、
作動流体が、更なるヒドロクロロフルオロオレフィン、ヒドロフルオロカーボン、ブロモフルオロオレフィン、フッ素化ケトン、ヒドロフルオロエーテル、ヒドロフルオロオレフィン、ヒドロフルオロオレフィンエーテル、ヒドロクロロフルオロオレフィンエーテル、炭化水素、又はエーテルの１種以上と組み合わせて、１−クロロ−３，３，３−トリフルオロプロペン（Ｅ）からなる、熱エネルギーを機械エネルギーに変換する方法。
【請求項１０】
作動流体を気化させて作動流体の加圧蒸気を形成するのに十分な温度に作動流体を加熱し；そして
作動流体の加圧蒸気によって機械的仕事を行わせる；
ことを含み、
作動流体が、ＨＦＣ−２４５ｆａ、ＨＦＣ−３６５ｍｆｃ、ＨＦＥ−７１００、Ｎｏｖｅｃ  １２３０、ＨＦＣ−４３−１０ｍｅｅ、又はＨＦＣ−３６５ｍｆｃ及びＨＴ５５ペルフルオロポリエーテルの組み合わせと組み合わせて、１−クロロ−３，３，３−トリフルオロプロペン（Ｅ）からなる、熱エネルギーを機械エネルギーに変換する方法。
【請求項１１】
前記作動流体が１３０℃の温度で運転できるボイラーで加熱される、請求項７〜１０のいずれかに記載の方法。
【請求項１２】
前記作動流体が４５℃の温度で運転できる凝縮器で凝縮される、請求項７〜１１のいずれかに記載の方法。
【請求項１３】
前記作動流体が、温室効果地球温暖化に対する寄与が完全にハロゲン化されているＣＦＣ及び部分的にハロゲン化されているＨＣＦＣ材料と比較して無視できる、請求項１〜１２のいずれかに記載の方法。
【請求項１４】
前記作動流体が事実上不燃性である、請求項１〜１３のいずれかに記載の方法。
【請求項１５】
前記熱エネルギーが、工業廃熱、太陽エネルギー、地熱熱水、低圧蒸気、燃料電池、或いはタービン、マイクロタービン、又は内燃エンジンのような原動機を用いる分散発電装置から選ばれる低グレードの熱エネルギー源によって与えられる、請求項１〜１４のいずれかに記載の方法。
【請求項１６】
前記低圧蒸気が、低圧地熱蒸気（１次配置又は２次配置）であるか、又は、化石燃料で駆動される発電プラントによって与えられる、請求項１５に記載の方法。
【請求項１７】
第１の動力サイクル及び第２の動力サイクルを含み、第１の動力サイクルにおいては高温の水蒸気又は有機作動流体蒸気を含む第１の作動流体を用い、第２の動力サイクルにおいては第２の作動流体を用いて熱エネルギーを機械エネルギーに変換し、第２の動力サイクルが
第２の作動流体を加熱して加圧蒸気を形成し；そして
第２の作動流体の加圧蒸気によって機械的仕事を行わせる；
ことを含み、
第２の作動流体が１−クロロ−３，３，３−トリフルオロプロペン（Ｚ）、１−クロロ−３，３，３−トリフルオロプロペン（Ｅ）又はこれらの組合せからなる、２元動力サイクル方法。
【請求項１８】
前記第２の作動流体が１−クロロ−３，３，３−トリフルオロプロペン（Ｅ）からなる、請求項１７に記載の方法。
【請求項１９】
第１の動力サイクル及び第２の動力サイクルを含み、第１の動力サイクルにおいては高温の水蒸気又は有機作動流体蒸気を含む第１の作動流体を用い、第２の動力サイクルにおいては第２の作動流体を用いて熱エネルギーを機械エネルギーに変換し、第２の動力サイクルが
第２の作動流体を加熱して加圧蒸気を形成し；そして
第２の作動流体の加圧蒸気によって機械的仕事を行わせる；
ことを含み、
第２の作動流体が、更なるヒドロクロロフルオロオレフィン、ヒドロフルオロカーボン、ブロモフルオロオレフィン、フッ素化ケトン、ヒドロフルオロエーテル、ヒドロフルオロオレフィン、ヒドロフルオロオレフィンエーテル、ヒドロクロロフルオロオレフィンエーテル、炭化水素、又はエーテルの１種以上と組み合わせて、１−クロロ−３，３，３−トリフルオロプロペン（Ｅ）からなる、２元動力サイクル方法。
【請求項２０】
第１の動力サイクル及び第２の動力サイクルを含み、第１の動力サイクルにおいては高温の水蒸気又は有機作動流体蒸気を含む第１の作動流体を用い、第２の動力サイクルにおいては第２の作動流体を用いて熱エネルギーを機械エネルギーに変換し、第２の動力サイクルが
第２の作動流体を加熱して加圧蒸気を形成し；そして
第２の作動流体の加圧蒸気によって機械的仕事を行わせる；
ことを含み、
第２の作動流体が、ＨＦＣ−２４５ｆａ、ＨＦＣ−３６５ｍｆｃ、ＨＦＥ−７１００、Ｎｏｖｅｃ  １２３０、ＨＦＣ−４３−１０ｍｅｅ、又はＨＦＣ−３６５ｍｆｃ及びＨＴ５５ペルフルオロポリエーテルの組み合わせと組み合わせて、１−クロロ−３，３，３−トリフルオロプロペン（Ｅ）からなる、２元動力サイクル方法。
【請求項２１】
前記第２の作動流体が１３０℃の温度で運転できるボイラーで加熱される、請求項１７〜２０のいずれかに記載の方法。
【請求項２２】
前記第２の作動流体が４５℃の温度で運転できる凝縮器で凝縮される、請求項１７〜２１のいずれかに記載の方法。
【請求項２３】
前記第２の作動流体が、温室効果地球温暖化に対する寄与が完全にハロゲン化されているＣＦＣ及び部分的にハロゲン化されているＨＣＦＣ材料と比較して無視できる、請求項１７〜２２のいずれかに記載の方法。
【請求項２４】
前記第２の作動流体が事実上不燃性である、請求項１７〜２３のいずれかに記載の方法。
【請求項２５】
前記熱エネルギーが、工業廃熱、太陽エネルギー、地熱熱水、低圧蒸気、燃料電池、或いはタービン、マイクロタービン、又は内燃エンジンのような原動機を用いる分散発電装置から選ばれる低グレードの熱エネルギー源によって与えられる、請求項１７〜２４のいずれかに記載の方法。
【請求項２６】
前記低圧蒸気が、低圧地熱蒸気（１次配置又は２次配置）であるか、又は、化石燃料で駆動される発電プラントによって与えられる、請求項２５に記載の方法。
【請求項２７】
ランキンサイクルシステム及び第２のループを含み；第２のループが、熱源とランキンサイクルシステムとの間に、ランキンサイクルシステム及び熱源と流体連絡して配置されている、有機ランキンサイクルシステムの作動流体を熱源の温度に曝露することなく熱を熱源からランキンサイクルシステムに伝達させるための熱的に安定な顕熱伝達流体を含み；
ランキンサイクルシステム作動流体が、１−クロロ−３，３，３−トリフルオロプロペン（Ｚ）、１−クロロ−３，３，３−トリフルオロプロペン（Ｅ）又はこれらの組合せからなる、熱エネルギーを機械エネルギーに変換する方法。
【請求項２８】
前記ランキンサイクルシステム作動流体が１−クロロ−３，３，３−トリフルオロプロペン（Ｅ）からなる、請求項２７に記載の方法。
【請求項２９】
ランキンサイクルシステム及び第２のループを含み；第２のループが、熱源とランキンサイクルシステムとの間に、ランキンサイクルシステム及び熱源と流体連絡して配置されている、有機ランキンサイクルシステムの作動流体を熱源の温度に曝露することなく熱を熱源からランキンサイクルシステムに伝達させるための熱的に安定な顕熱伝達流体を含み；
ランキンサイクルシステム作動流体が、更なるヒドロクロロフルオロオレフィン、ヒドロフルオロカーボン、ブロモフルオロオレフィン、フッ素化ケトン、ヒドロフルオロエーテル、ヒドロフルオロオレフィン、ヒドロフルオロオレフィンエーテル、ヒドロクロロフルオロオレフィンエーテル、炭化水素、又はエーテルの１種以上と組み合わせて、１−クロロ−３，３，３−トリフルオロプロペン（Ｅ）からなる、熱エネルギーを機械エネルギーに変換する方法。
【請求項３０】
ランキンサイクルシステム及び第２のループを含み；第２のループが、熱源とランキンサイクルシステムとの間に、ランキンサイクルシステム及び熱源と流体連絡して配置されている、有機ランキンサイクルシステムの作動流体を熱源の温度に曝露することなく熱を熱源からランキンサイクルシステムに伝達させるための熱的に安定な顕熱伝達流体を含み；
ランキンサイクルシステム作動流体が、ＨＦＣ−２４５ｆａ、ＨＦＣ−３６５ｍｆｃ、ＨＦＥ−７１００、Ｎｏｖｅｃ  １２３０、ＨＦＣ−４３−１０ｍｅｅ、又はＨＦＣ−３６５ｍｆｃ及びＨＴ５５ペルフルオロポリエーテルの組み合わせと組み合わせて、１−クロロ−３，３，３−トリフルオロプロペン（Ｅ）からなる、熱エネルギーを機械エネルギーに変換する方法。
【請求項３１】
前記温熱源が、約１３０℃の温度で運転できるボイラーである、請求項２７〜３０のいずれかに記載の方法。
【請求項３２】
前記ランキンサイクルシステム作動流体が、温室効果地球温暖化に対する寄与が完全にハロゲン化されているＣＦＣ及び部分的にハロゲン化されているＨＣＦＣ材料と比較して無視できる、請求項２７〜３１のいずれかに記載の方法。
【請求項３３】
前記ランキンサイクルシステム作動流体が事実上不燃性である、請求項２７〜３２のいずれかに記載の方法。
【請求項３４】
前記熱エネルギーが、工業廃熱、太陽エネルギー、地熱熱水、低圧蒸気、燃料電池、或いはタービン、マイクロタービン、又は内燃エンジンのような原動機を用いる分散発電装置から選ばれる低グレードの熱エネルギー源によって与えられる、請求項２７〜３３のいずれかに記載の方法。
【請求項３５】
前記低圧蒸気が、低圧地熱蒸気（１次配置又は２次配置）であるか、又は、化石燃料で駆動される発電プラントによって与えられる、請求項３４に記載の方法。
【請求項３６】
前記機械エネルギーが電気装置に送られて電力を生成させる、請求項１〜３５のいずれかに記載の方法。
【請求項３７】
１−クロロ−３，３，３−トリフルオロプロペン（Ｚ）、１−クロロ−３，３，３−トリフルオロプロペン（Ｅ）又はこれらの組合せからなる流体の、有機ランキンサイクル作動流体としての使用。
【請求項３８】
前記流体が１−クロロ−３，３，３−トリフルオロプロペン（Ｅ）からなる、請求項３７に記載の使用。
【請求項３９】
更なるヒドロクロロフルオロオレフィン、ヒドロフルオロカーボン、ブロモフルオロオレフィン、フッ素化ケトン、ヒドロフルオロエーテル、ヒドロフルオロオレフィン、ヒドロフルオロオレフィンエーテル、ヒドロクロロフルオロオレフィンエーテル、炭化水素、又はエーテルの１種以上と組み合わせて、１−クロロ−３，３，３−トリフルオロプロペン（Ｅ）からなる流体の、有機ランキンサイクル作動流体としての使用。
【請求項４０】
ＨＦＣ−２４５ｆａ、ＨＦＣ−３６５ｍｆｃ、ＨＦＥ−７１００、Ｎｏｖｅｃ  １２３０、ＨＦＣ−４３−１０ｍｅｅ、又はＨＦＣ−３６５ｍｆｃ及びＨＴ５５ペルフルオロポリエーテルの組み合わせと組み合わせて、１−クロロ−３，３，３−トリフルオロプロペン（Ｅ）からなる流体の、有機ランキンサイクル作動流体としての使用。
【請求項４１】
前記作動流体の温室効果地球温暖化に対する寄与が完全にハロゲン化されているＣＦＣ及び部分的にハロゲン化されているＨＣＦＣ材料と比較して無視できる、請求項３７〜４０のいずれかに記載の使用。
【請求項４２】
前記作動流体が事実上不燃性である、請求項３７〜４１のいずれかに記載の使用。
【手続補正２】
【補正対象書類名】明細書
【補正対象項目名】００７１
【補正方法】変更
【補正の内容】
【００７１】
[80]本発明を実施する現時点で好ましい形態を含む特定の例に関して本発明を説明した
が、当業者であれば、特許請求の範囲に示す本発明の精神及び範囲内に含まれる上記記載
のシステム及び技術の数多くの変更及び変形が存在することを認めるであろう。
本発明は以下の態様を含む。
［１］
温熱源を用いて作動流体を気化させ；
得られた蒸気を膨張させ、次に冷熱源を用いて冷却して蒸気を凝縮させ；そして
凝縮した作動流体をポンプ移送する；
ことを含み、作動流体が式（Ｉ）：
【化４】
2015221896.tif 000001
（式中、Ｒ１、Ｒ２、Ｒ３、及びＲ４は、それぞれ独立して、Ｈ、Ｆ、Ｃｌ、Ｂｒ、並びに、場合によっては少なくとも１つのＦ、Ｃｌ、又はＢｒによって置換されているＣ１〜Ｃ６アルキル、少なくともＣ６のアリール、少なくともＣ３のシクロアルキル、及びＣ６〜Ｃ１５アルキルアリールからなる群から選択され、式（Ｉ）は少なくとも１つのＦ及び少なくとも１つのＣｌ又はＢｒを含み、但し式（Ｉ）がＢｒを含む場合にはそれはまた水素を含まない）
を有する少なくとも１種類の化合物を含む、ランキンサイクルで熱エネルギーを機械エネルギーに変換する方法。
［２］
Ｒ１、Ｒ２、Ｒ３、及びＲ４の少なくとも１つが、場合によっては少なくとも１つのＦ、Ｃｌ、又はＢｒによって置換されているメチル、エチル、又はプロピルである、［１］に記載の方法。
［３］
化合物が式：ＣｘＦｙＨｚＣｌｎ（式中、ｙ＋ｚ＋ｎ＝２ｘ）又はＣｘＦｙＢｒｎ（式中、ｙ＋ｎ＝２ｘであり、ｘは少なくとも３であり、ｙは少なくとも１であり、ｚは０又は正の数であり、ｎは１又は２である）を有する、［１］に記載の方法。
［４］
化合物が、Ｃ３Ｆ３Ｈ２Ｃｌ、ＣＦ３ＣＦ＝ＣＦＣＦ２ＣＦ２Ｃｌ、ＣＦ３ＣＣｌ＝ＣＦＣＦ２ＣＦ３、及びこれらの混合物からなる群から選択される、［１］に記載の方法。
［５］
作動流体が、１−クロロ−３，３，３−トリフルオロプロペン（Ｚ）、１−クロロ−３，３，３−トリフルオロプロペン（Ｅ）、及びこれらの組合せからなる群から選択される、［１］に記載の方法。
［６］
作動流体が２−ブロモ−１，１，３，３，３−ペンタフルオロプロペンである、［１］に記載の方法。
［７］
作動流体を気化させて作動流体の加圧蒸気を形成するのに十分な温度に作動流体を加熱し；そして
作動流体の加圧蒸気によって機械的仕事を行わせる；
ことを含み、
作動流体が式（Ｉ）：
【化５】
2015221896.tif 000002
（式中、Ｒ１、Ｒ２、Ｒ３、及びＲ４は、それぞれ独立して、Ｈ、Ｆ、Ｃｌ、Ｂｒ、並びに、場合によっては少なくとも１つのＦ、Ｃｌ、又はＢｒによって置換されているＣ１〜Ｃ６アルキル、少なくともＣ６のアリール、少なくともＣ３のシクロアルキル、及びＣ６〜Ｃ１５アルキルアリールからなる群から選択され、式（Ｉ）は少なくとも１つのＦ及び少なくとも１つのＣｌ又はＢｒを含み、但し式（Ｉ）がＢｒを含む場合にはそれはまた水素を含まない）
を有する少なくとも１種類の化合物を含む、熱エネルギーを機械エネルギーに変換する方法。
［８］
第１の動力サイクル及び第２の動力サイクルを含み、第１の動力サイクルにおいては高温の水蒸気又は有機作動流体蒸気を含む第１の作動流体を用い、第２の動力サイクルにおいては第２の作動流体を用いて熱エネルギーを機械エネルギーに変換し、第２の動力サイクルが
第２の作動流体を加熱して加圧蒸気を形成し；そして
第２の作動流体の加圧蒸気によって機械的仕事を行わせる；
ことを含み、
第２の作動流体が式（Ｉ）：
【化６】
2015221896.tif 000003
（式中、Ｒ１、Ｒ２、Ｒ３、及びＲ４は、それぞれ独立して、Ｈ、Ｆ、Ｃｌ、Ｂｒ、並びに、場合によっては少なくとも１つのＦ、Ｃｌ、又はＢｒによって置換されているＣ１〜Ｃ６アルキル、少なくともＣ６のアリール、少なくともＣ３のシクロアルキル、及びＣ６〜Ｃ１５アルキルアリールからなる群から選択され、式（Ｉ）は少なくとも１つのＦ及び少なくとも１つのＣｌ又はＢｒを含み、但し式（Ｉ）がＢｒを含む場合にはそれはまた水素を含まない）
を有する少なくとも１種類の化合物を含む、２元動力サイクル方法。
［９］
ランキンサイクルシステム及び第２のループを含み；第２のループが、熱源とランキンサイクルシステムとの間に、ランキンサイクルシステム及び熱源と流体連絡して配置されている、有機ランキンサイクルシステムの作動流体を熱源の温度に曝露することなく熱を熱源からランキンサイクルシステムに伝達させるための熱的に安定な顕熱伝達流体を含み；
ランキンサイクルシステム作動流体が、式（Ｉ）：
【化７】
2015221896.tif 000004
（式中、Ｒ１、Ｒ２、Ｒ３、及びＲ４は、それぞれ独立して、Ｈ、Ｆ、Ｃｌ、Ｂｒ、並びに、場合によっては少なくとも１つのＦ、Ｃｌ、又はＢｒによって置換されているＣ１〜Ｃ６アルキル、少なくともＣ６のアリール、少なくともＣ３のシクロアルキル、及びＣ６〜Ｃ１５アルキルアリールからなる群から選択され、式（Ｉ）は少なくとも１つのＦ及び少なくとも１つのＣｌ又はＢｒを含み、但し式（Ｉ）がＢｒを含む場合にはそれはまた水素を含まない）
を有する少なくとも１種類の化合物を含む、熱エネルギーを機械エネルギーに変換する方法。
［１０］
式（Ｉ）：
【化８】
2015221896.tif 000005
（式中、Ｒ１、Ｒ２、Ｒ３、及びＲ４は、それぞれ独立して、Ｈ、Ｆ、Ｃｌ、Ｂｒ、並びに、場合によっては少なくとも１つのＦ、Ｃｌ、又はＢｒによって置換されているＣ１〜Ｃ６アルキル、少なくともＣ６のアリール、少なくともＣ３のシクロアルキル、及びＣ６〜Ｃ１５アルキルアリールからなる群から選択され、式（Ｉ）は少なくとも１つのＦ及び少なくとも１つのＣｌ又はＢｒを含み、但し式（Ｉ）がＢｒを含む場合にはそれはまた水素を含まない）
を有する少なくとも１種類の化合物を含む有機ランキンサイクル作動流体。